(57)【要約】  音響機器は、表示部（４３）と、表示部（４３）の一部を覆うマスク部（４４）とを備え、表示部（４３）は、画像を自由に表示可能な第１表示領域（４３１Ａ）と、マスク部（４４）により覆われる第２表示領域（４３１Ｂ）とを有し、マスク部（４４）は、第２表示領域（４３１Ｂ）で発光した光を透過する透過部を備えている。
2019130592.tif 000002
【特許請求の範囲】
【請求項１】
表示部と、
前記表示部の一部を覆うマスク部とを備え、
前記表示部は、画像を自由に表示可能な第１表示領域と、前記マスク部により覆われる第２表示領域とを有し、
前記マスク部は、前記第２表示領域で発光した光を透過する透過部を備えていることを特徴とする音響機器。
【請求項２】
請求項１に記載の音響機器において、
前記透過部は、文字形状または記号形状に形成され、前記第２表示領域は、発光色および発光輝度を変化させて発光することを特徴とする音響機器。
【請求項３】
請求項１または請求項２に記載の音響機器において、
機器本体に回転可能に設けられる回転操作子を備え、
前記表示部は、前記回転操作子に配置されていることを特徴とする音響機器。
【発明の詳細な説明】
【技術分野】
【０００１】
本発明は、音響機器に関する。
【背景技術】
【０００２】
従来、液晶表示装置等のフラットパネルディスプレイの表示領域の一部をマスク等で覆う技術が知られている。
特許文献１には、ディスプレイにコンテンツを表示する際に、ディスプレイの表示領域に対して、コンテンツの表示サイズに余剰領域がある場合には、可動式のマスクで余剰領域を覆い、余剰領域に黒色画像を視認させることなく、臨場感を有する映像を表示する技術が開示されている。
また、特許文献２には、リール等に設けられた液晶表示部の表示領域の回りに、不透視のマスク部を設け、液晶表示部の表示領域を強調することにより、表示領域に表示された釣糸長等の表示値を見易くする技術が開示されている。
【先行技術文献】
【特許文献】
【０００３】
【特許文献１】特開２００７−１２７７１７号公報
【特許文献２】特開平１１１９６７２４号公報
【発明の概要】
【発明が解決しようとする課題】
【０００４】
しかしながら、前記特許文献１、特許文献２に記載の技術では、単純にディスプレイの表示領域の一部を覆い、表示されたコンテンツの臨場感を向上させたり、表示値の視認性を向上させたりするだけであり、装飾性に富んだ表示装置を提供することができないという課題がある。特に、ＤＪ機器等の音響機器においては、装飾性が重視されており、より装飾性の高い表示方法が望まれている。【０００５】
本発明の目的は、装飾性が高い表示部を備えた音響機器を提供することにある。
【課題を解決するための手段】
【０００６】
本発明の音響機器は、表示部と、前記表示部の一部を覆うマスク部とを備え、前記表示部は、画像を自由に表示可能な第１表示領域部と、前記マスク部により覆われる第２表示領域とを有し、前記マスク部は、第２表示領域で発光した光を透過する透過部を備えていることを特徴とする。
【図面の簡単な説明】
【０００７】
【図１】本発明の実施の形態に係る楽曲データ再生制御システムの構造を示す平面図。
【図２】前記実施の形態における音響機器となるＤＪコントローラの表示部の構造を示す平面図。
【図３】前記実施の形態における表示部の詳細構造を示す平面図。
【図４】前記実施の形態における表示部の製造方法を示す分解斜視図。
【発明を実施するための形態】
【０００８】
［１］全体構成
以下、本発明の実施の形態を図面に基づいて説明する。図１には、本発明の実施の形態に係る楽曲データ再生制御システム１が示されている、楽曲データ再生制御システム１は、コンピュータ２と、このコンピュータ２にＵＳＢケーブル３を介して接続されるＤＪコントローラ４とを備える。
コンピュータ２は、ＣＰＵおよびハードディスク等の記憶装置を備え、記憶装置内に記憶されたＭＰ３等の楽曲データの再生を行う。楽曲データの再生は、ＣＰＵ上で実行されるアプリケーションソフトウェアによって行われ、再生された楽曲データは、ＵＳＢケーブル３を介して、ＤＪコントローラ４に出力される。また、ＵＳＢケーブル３には、ＤＪコントローラ４のミキサー部４１、デッキ部４２Ｌ、４２Ｒを操作することにより生成された再生制御信号が出力され、コンピュータ２に入力される。コンピュータ２では、ＤＪコントローラ４から出力された再生制御信号に基づいて、再生中の楽曲データに種々の音響効果を付与する。
【０００９】
音響機器として例示されるＤＪコントローラ４は、中央に配置されるミキサー部４１と、ミキサー部４１の左右に配置されるデッキ部４２Ｌ、４２Ｒとを備える。なお、本発明にいう音響機器は、本実施の形態のように、音響再生制御装置だけでなく、楽曲データを再生する音響再生装置も含む概念である。
ミキサー部４１は、コンピュータ２から出力されたオーディオデータの切り替え、各チャンネルの音量調整、音響効果を付与する部分であり、第１チャンネル調整部４１１から第４チャンネル調整部４１４、およびマイク調整部４１５を備える。
ミキサー部４１の右下には、エフェクト部４１Ｅが設けられている。エフェクト部４１Ｅは、再生楽曲に対して楽音効果を付与するために、エフェクト選択スイッチ４１６、チャンネル選択スイッチ４１７、エフェクト量調整スイッチ４１８、およびエフェクト付与スイッチ４１９、およびビート変更ボタン４２０が設けられている。
【００１０】
デッキ部４２Ｌ、４２Ｒは、操作者が操作をすることにより、コンピュータ２から出力された楽曲データに様々な効果を付与する部分である。デッキ部４２Ｌ、４２Ｒは、ジョグダイヤル４２１、テンポスライダー４２２、パフォーマンスパッド４２３、キューボタン４２４、プレイ／ポーズボタン４２５、ループボタン４２６、デッキセレクトボタン４２７、ロードボタン４２８、およびキュー／ループコールスイッチ４２９を備える。
【００１１】
回転操作子として例示されるジョグダイヤル４２１は、デッキ部４２Ｌ、４２Ｒの機器本体に回転可能に設けられ、操作者がジョグダイヤル４２１の回転操作をすることにより、再生される楽曲データの早送り再生や、逆転再生を行うことができる。
ジョグダイヤル４２１の中央には、液晶表示装置から構成される表示部４３が設けられている。表示部４３には、詳しくは後述するが、再生中の楽曲データのＢＰＭ（Beats Per Minute）値、経過時間、進行状況、拍位置、および再生中の楽曲データの進行に合わせたＬＰレコードの３３ＲＰＭによる回転状態が表示され、操作者に楽曲データの再生進行を視認させている。
【００１２】
テンポスライダー４２２は、再生される楽曲データのテンポを調整するスイッチである。パフォーマンスパッド４２３は、再生中の楽曲データへの効果を切り替えるボタンであり、操作者がパッドを押すと、再生中の楽曲データに対して、瞬間的にループ、キュー、キーシフト、サンプラー等の効果を付与することができる。
キューボタン４２４は、再生する楽曲の頭出しを行うボタンである。
プレイ／ポーズボタン４２５は、楽曲データの再生開始、再生中の楽曲データのポーズを行うボタンである。ループボタン４２６は、再生中の楽曲データのループ再生を行うボタンである。
【００１３】
デッキセレクトボタン４２７は、ミキサー部４１の第１チャンネル調整部４１１から第４チャンネル調整部４１４のうち、どのチャンネルで再生中の楽曲データを操作するかを選択するボタンである。本実施の形態では、左側のデッキ部４２Ｌで第１チャンネル調整部４１１と第３チャンネル調整部４１３との切り替えを行い、右側のデッキ部４２Ｒで第２チャンネル調整部４１２と第４チャンネル調整部４１４との切り替えを行うことができる。
キュー／ループコールスイッチ４２９は、メモリされたキューポイントを呼び出すスイッチである。
【００１４】
ロードボタン４２８は、コンピュータ２から楽曲データをロードするボタンであり、コンピュータ２上で再生する楽曲データが選択された後、このロードボタン４２８を押すと、楽曲データが第１チャンネル調整部４１１から第４チャンネル調整部４１４のいずれかのチャンネルにロードされる。
【００１５】
［２］表示部４３の構造
このようなＤＪコントローラ４のデッキ部４２Ｌ、４２Ｒには、それぞれ表示部４３が設けられている。表示部４３は、ジョグダイヤル４２１の回転中心を中心とした同心円状に配置される。
表示部４３は、液晶表示装置から構成され、バックライト、液晶パネル、およびカラーフィルタが積層された構造を備えている。
表示部４３は、図２に示すように、矩形状の表示領域４３１を有し、表示部４３の上には、ジョグダイヤル４２１の回転中心を中心としてリング部４３２が設けられている。表示領域４３１は、リング部４３２の内側が表示領域４３１を可視できるようになっており、第１表示領域４３１Ａおよび第２表示領域４３１Ｂを備える。ジョグダイヤル４２１は、リング部４３２回りに回転可能に設けられ、リング部４３２の内側の表示部４３が設けられた領域は回転しない。
【００１６】
第１表示領域４３１Ａは、表示領域４３１の中央部に配置され、外部から視認可能に設けられ、液晶表示装置で形成される画像を自由に表示することができる。
第２表示領域４３１Ｂは、第１表示領域４３１Ａの幅方向端部に配置され、リング部４３２の内側に設けられるマスク部４４により覆われている。
【００１７】
第１表示領域４３１Ａには、図３に示すように、再生中の楽曲データのＢＰＭ画像（Beats Per Minute）Ｇ１、再生中の楽曲データの経過時間画像Ｇ２、再生中の楽曲データの進行状況画像Ｇ３、再生中の楽曲データの拍位置画像Ｇ４の他、ＤＪコントローラ４の社名、製品名等をデザイン化した画像Ｇ５等が表示される。
また、第１表示領域４３１Ａには、回転表示画像Ｇ７が表示され、楽曲データの再生中、ＬＰレコードの回転数３３ＲＰＭと同様の速度で回転し、ジョグダイヤル４２１を操作すると、操作量に応じて回転表示画像Ｇ７も追従して表示位置が移動する。さらに、第１表示領域４３１Ａには、マーカー画像Ｇ８が表示され、操作者がマーカー画像Ｇ８の位置を適宜の位置に設定することにより、ＣＵＥポイント等の位置を視認できるようになっている。
【００１８】
第２表示領域４３１Ｂは、マスク部４４により覆われている。
マスク部４４は、ジョグダイヤル４２１の回転中心を中心とする円形状の円形窓部４４１と、円形窓部４４１の左右方向端部から外側に突出する拡張窓部４４２とを備え、円形窓部４４１および拡張窓部４４２が形成された部分が第１表示領域４３１Ａの表示領域とされる。
また、マスク部４４には、DECK SELECT、BEAT SYNCの文字が印刷されているとともに、透過部となる１、３、SYNC MASTERの抜き文字形状が形成されている。マスク部４４は、透明な樹脂フィルムの一方の面に金属を蒸着した遮光フィルムから形成され、円形窓部４４１、拡張窓部４４２、および抜き文字形状には、マスキングを行って金属を蒸着している。
【００１９】
第２表示領域４３１Ｂは、所定の単色画像を表示するように形成され、たとえば、第２表示領域４３１Ｂの上側部分で、DECK SELECTの１または３の抜き文字のいずれかの直下の部分を赤色等で発光させることにより、デッキ部４２Ｌにおける再生中のチャンネルを操作者に視認させる。また、第２表示領域４３１Ｂの下側部分で、BEAT SYNCのMASTERまたはSYNCの抜き文字部分のいずれかの直下の部分を赤色等で発光させることにより、デッキ部４２ＬにおけるＢＰＭの同期の状態を操作者に視認させる。
【００２０】
このような表示部４３は、図４に示すように、表示部４３の表示領域４３１上に、予め抜き文字を形成したマスク部４４を貼り付けることにより、製造することができる。
なお、第２表示領域４３１Ｂに形成する画像は、赤色等の単色画像だけでなく、グラデーション画像や、小さな模様付きの画像を形成してもよく、発光色を変化させたり、発光輝度を変化させてもよい。
マスク部４４に形成される透過部は、抜き文字形状、数字形状等だけでなく、記号形状、絵文字形状を抜いたものであってもよい。
【００２１】
［３］実施の形態の作用および効果
このような本実施の形態によれば、以下のような効果がある。
第２表示領域４３１Ｂは、透過部となる抜き文字を形成したマスク部４４によって覆われている。したがって、第２表示領域４３１Ｂの発光色や、発光輝度、その他発光画像を自由に変化させることができるため、装飾性の高い表示部４３を形成することができる。したがって、ＤＪコントローラ４の発光装飾を華やかにすることができ、装飾性の高い音響機器とすることができる。
マスク部４４の抜き文字を透過させた第２表示領域４３１Ｂの光は、マスク部４４の抜き文字面を照らすことで、表示部４３の液晶表示装置の実際の発光面に比べ、ユーザーに近くなるので、第２表示領域４３１Ｂの抜き文字の視認性を高めることができる。
【００２２】
また、表示部４３が回転操作子となるジョグダイヤル４２１の回転中心を中心として同心円状に配置されているため、操作者がジョグダイヤルを操作しながら、再生中の楽曲データのＢＰＭ、拍位置、経過時間等を視認でき、操作性の良好なＤＪコントローラ４とすることができる。
マスク部４４が円形窓部４４１および拡張窓部４４２を備えることにより、円形窓部４４１上に回転表示画像Ｇ７や、マーカー画像Ｇ８を表示させることができる。したがって、ジョグダイヤル４２１の操作による回転表示画像Ｇ７の回転表示や、ＣＵＥ設定を行ったマーカー画像Ｇ８の回転位置を表示させることができる。一方、拡張窓部４４２には、楽曲データの進行状況画像Ｇ３や、拍位置画像Ｇ４等の横長の画像データを表示させることができる。したがって、拡張窓部４４２を用いて、横長の画像データを表示させることができるため、操作者は、長い時間の楽曲データの進行状況等を視認することができ、ＤＪパフォーマンスを行うことができる。
【００２３】
［４］実施形態の変形
なお、本発明は、前述した実施の形態に限定されるものではなく、以下に示すような変形をも含むものである。
前述した実施の形態は、表示部４３をＤＪコントローラ４のデッキ部４１Ｌ、４１Ｒに設けていたが、本発明はこれに限られない。すなわち、レコードプレーヤー、ミキサー等の音響機器に本発明の表示部を実装してもよい。
【００２４】
また、前述した実施の形態は、ジョグダイヤル４２１の回転中心に表示部４３を設けていたが、本発明はこれに限られない。ＤＪコントローラの機器本体の他の部分に本発明の表示部を設けた構成であってもよい。
その他、本発明の実施の際の具体的な構造および形状等は、本発明の目的を達成出来る範囲で他の構造等としてもよい。
【符号の説明】
【００２５】
１…楽曲データ再生制御システム、２…コンピュータ、３…ＵＳＢケーブル、４…ＤＪコントローラ、３１…記憶装置、４１…ミキサー部、４１Ｌ…デッキ部、４１Ｒ…デッキ部、４２…ミキサー部、４２Ｌ…デッキ部、４２Ｒ…デッキ部、４３…表示部、４４…マスク部、４１１…第１チャンネル、４１１…第１チャンネル調整部、４１２…第２チャンネル調整部、４１３…第３チャンネル調整部、４１４…第４チャンネル調整部、４１４…第４チャンネル、４１５…マイク調整部、４１６…エフェクト選択スイッチ、４１７…チャンネル選択スイッチ、４１８…エフェクト量調整スイッチ、４１９…エフェクト付与スイッチ、４２１…ジョグダイヤル、４２２…テンポスライダー、４２３…パフォーマンスパッド、４２４…ＣＵＥボタン、４２５…プレイ／ポーズボタン、４２６…ループボタン、４２７…デッキセレクトボタン、４２８…ロードボタン、４３１…表示領域、４３１Ａ…第１表示領域、４３１Ｂ…第２表示領域、４３２…リング部、Ｇ２…経過時間、Ｇ３…進行状況、Ｇ４…拍位置、Ｇ５…画像データ、Ｇ７…回転表示画像、Ｇ８…マーカー画像。
【図１】
2019130592.tif 000003
【図２】
2019130592.tif 000004
【図３】
2019130592.tif 000005
【図４】
2019130592.tif 000006
【国際調査報告】
2019130592.tif 000007
2019130592.tif 000008